(57)【要約】【課題】デジタル放送信号等に含まれる所定の画像に描画される図形を、より高画質化させる。【解決手段】チューナ４１は、所定の拡大率により拡大された拡大後の第１の図形に代えて、所定の画像に合成される第２の図形であって、拡大後の第１の図形よりも高画質な第２の図形を表す高画質図形データを配信する配信サーバに接続するためのサーバアクセス情報を取得し、モデム５２aやイーサネット端子５２bは、サーバアクセス情報に基づいて、配信サーバから、高画質図形データを受信し、画像処理部４６は、高画質図形データ、及び所定の画像を表す画像データに基づいて、第２の図形を、所定の画像に合成する。本発明は、例えば、デジタル放送信号を受信するデジタル放送受信装置に適用できる。【選択図】図５
2010193281.tif 000002
【特許請求の範囲】
【請求項１】
少なくとも、所定の画像を表す画像データと、所定の拡大率により拡大されて前記所定の画像に合成される第１の図形を表す図形データとを含む受信データを受信する受信装置において、
前記所定の拡大率により拡大された拡大後の第１の図形に代えて、前記所定の画像に合成される第２の図形であって、前記拡大後の第１の図形よりも高画質な第２の図形を表す高画質図形データを配信する配信サーバに接続するためのサーバアクセス情報を取得する取得手段と、
前記サーバアクセス情報に基づいて、前記配信サーバから、前記高画質図形データを受信する受信手段と、
前記高画質図形データ及び前記画像データに基づいて、前記第２の図形を、前記所定の画像に合成する合成手段と
を含む受信装置。
【請求項２】
前記受信データは、前記図形データ及び前記画像データの他、前記サーバアクセス情報が含まれているデジタル放送信号であり、
前記取得手段は、前記デジタル放送信号から、前記サーバアクセス情報を取得する
請求項１に記載の受信装置。
【請求項３】
前記合成手段は、前記受信手段により、前記高画質図形データを受信することができない場合、前記デジタル放送信号に含まれる前記図形データ及び前記画像データに基づいて、前記所定の拡大率により拡大した前記第１の図形を、前記所定の画像に合成する
請求項２に記載の受信装置。
【請求項４】
前記デジタル放送信号には、前記所定の画像に合成される文字を表す文字データも含まれており、
前記合成手段は、さらに、前記文字データに基づいて、前記所定の画像に応じた大きさの前記文字を、前記所定の画像に合成する
請求項２に記載の受信装置。
【請求項５】
前記取得手段は、前記拡大後の第１の図形よりも高解像度である前記第２の図形を表す前記高画質図形データを配信する前記配信サーバに接続するための前記サーバアクセス情報を取得する
請求項１に記載の受信装置。
【請求項６】
前記合成手段は、
前記高画質図形データに基づいて、前記第２の図形を、前記所定の画像と合成される描画用のプレーンに描画し、
前記第２の図形が描画された描画用のプレーンを、前記所定の画像に合成する
請求項１に記載の受信装置。
【請求項７】
少なくとも、所定の画像を表す画像データと、所定の拡大率により拡大されて前記所定の画像に合成される第１の図形を表す図形データとを含む受信データを受信する受信装置の受信方法において、
前記受信装置は、
取得手段と、
受信手段と、
合成手段と
を含み、
前記取得手段が、前記所定の拡大率により拡大された拡大後の第１の図形に代えて、前記所定の画像に合成される第２の図形であって、前記拡大後の第１の図形よりも高画質な第２の図形を表す高画質図形データを配信する配信サーバに接続するためのサーバアクセス情報を取得し、
前記受信手段が、前記サーバアクセス情報に基づいて、前記配信サーバから、前記高画質図形データを受信し、
前記合成手段が、前記高画質図形データ及び前記画像データに基づいて、前記第２の図形を、前記所定の画像に合成する
ステップを含む受信方法。
【請求項８】
少なくとも、所定の画像を表す画像データと、所定の拡大率により拡大されて前記所定の画像に合成される第１の図形を表す図形データとを含む受信データを受信する受信装置のコンピュータを、
前記所定の拡大率により拡大された拡大後の第１の図形に代えて、前記所定の画像に合成される第２の図形であって、前記拡大後の第１の図形よりも高画質な第２の図形を表す高画質図形データを配信する配信サーバに接続するためのサーバアクセス情報を取得する取得手段と、
前記サーバアクセス情報に基づいて、前記配信サーバから、前記高画質図形データを受信する受信手段と、
前記高画質図形データ及び前記画像データに基づいて、前記第２の図形を、前記所定の画像に合成する合成手段と
して機能させるためのプログラム。
【請求項９】
少なくとも、所定の画像を表す画像データと、所定の拡大率により拡大されて前記所定の画像に合成される第１の図形を表す図形データとを含む受信データを受信する受信装置と、
前記受信装置からのリクエスト信号に応じて、前記所定の拡大率により拡大された拡大後の第１の図形よりも高画質な第２の図形を表す高画質図形データを配信する配信サーバと
を含む通信システムにおいて、
前記受信装置は、
前記所定の拡大率により拡大された拡大後の第１の図形に代えて、前記所定の画像に合成される第２の図形であって、前記拡大後の第１の図形よりも高画質な第２の図形を表す高画質図形データを配信する配信サーバに接続するためのサーバアクセス情報を取得する取得手段と、
前記サーバアクセス情報に基づいて、前記配信サーバから、前記高画質図形データを受信する第１の受信手段と、
前記高画質図形データ及び前記画像データに基づいて、前記第２の図形を、前記所定の画像に合成する合成手段と
を含み、
前記配信サーバは、
前記サーバアクセス情報に基づき、前記受信装置から送信されてくる、前記高画質図形データの送信を要求する前記リクエスト信号を受信する第２の受信手段と、
前記リクエスト信号に基づいて、前記高画質図形データを、前記受信装置に送信する送信手段と
を含む
通信システム。
【発明の詳細な説明】
【技術分野】
【０００１】
本発明は、受信装置、受信方法、プログラム、及び通信システムに関し、特に、例えば、受信した番組等を表す静止画像（動画像）に描画される文字や図形を、より高画質化するようにした受信装置、受信方法、プログラム、及び通信システムに関する。
【背景技術】
【０００２】
従来、地上波デジタル放送等により放送されるデジタル放送信号を受信し、受信したデジタル放送信号に含まれる番組等を表す静止画像に、受信したデジタル放送信号に含まれる文書データ（いわゆるデータ放送として放送される、BML（broadcast markup language）等のプログラム言語により記述された文書データ）により指定される文字や図形が描画された文字図形プレーンを合成して出力するデジタル放送受信装置が存在する。
【０００３】
これにより、従来のデジタル放送受信装置では、番組等を表す静止画像を背景画像として、データ放送として放送される文書データにより指定される文字や図形により構成された画像を表示部に表示させることが可能となる。
【０００４】
ところで、現行の放送規格において、上述した文字図形プレーンを生成するために、文字や図形が描画される描画用のプレーンは、960×540（横×縦）画素の解像度であることが規定されている。
【０００５】
したがって、従来のデジタル放送受信装置では、描画用のプレーンに対して、文字や図形を描画することにより、解像度が960×540画素である文字図形プレーンを生成する。
【０００６】
このため、図１に示されるように、従来のデジタル放送受信装置において、解像度が1920×1080画素である、番組等を表す静止画像（動画像）を表示部等に出力する場合には、解像度が960×540画素である文字図形プレーンを、番組等を表す静止画像の解像度（1920×1080）に合わせるために、横と縦とにそれぞれ２倍に拡大し、拡大後の文字図形プレーンと、番組等を表す静止画像とを合成して、データ放送出力として出力する必要があった。
【０００７】
よって、従来のデジタル放送受信装置では、文字図形プレーンを、横と縦とにそれぞれ２倍に拡大しているため、文字図形プレーンに描画されている文字や図形も横と縦とにそれぞれ２倍に拡大される。このため、文字図形プレーンに描画されている文字や図形のがたつき等が生じてしまい、文字や図形の画質が劣化してしまっていた。
【０００８】
そこで、解像度が1920×1080画素である描画用のプレーンを予め用意しておき、その描画用のプレーンに対して、1920×1080画素の解像度等に応じた適切な文字の大きさで、文字を描画する描画技術が存在する（例えば、特許文献１を参照）。
【先行技術文献】
【特許文献】
【０００９】
【特許文献１】特開２００８−８５６１４号公報
【発明の概要】
【発明が解決しようとする課題】
【００１０】
しかしながら、例えば、PNG(portable network graphics)方式によりデータ圧縮された図形（を表すデータ）については、解像度が960×540画素である描画用のプレーンに対して描画されることが前提となっている。
【００１１】
したがって、従来の描画技術において、PNG方式によりデータ圧縮された図形を、解像度が1920×1080画素である描画用のプレーンに描画するための図形に変化させるために、PNG方式によりデータ圧縮された図形を、横と縦とにそれぞれ２倍に拡大した上で、解像度が1920×1080画素である描画用のプレーンに描画する必要があった。
【００１２】
この場合、従来のデジタル放送受信装置と同様に、文字図形プレーンに描画されている図形のがたつき等が生じてしまい、図形の画質が劣化してしまっていた。
【００１３】
本発明は、このような状況に鑑みてなされたものであり、例えば、デジタル放送信号等に含まれる所定の画像に描画される図形を、より高画質化させるものである。
【課題を解決するための手段】
【００１４】
本発明の第１の側面の受信装置、又はプログラムは、少なくとも、所定の画像を表す画像データと、所定の拡大率により拡大されて前記所定の画像に合成される第１の図形を表す図形データとを含む受信データを受信する受信装置、又は、少なくとも、所定の画像を表す画像データと、所定の拡大率により拡大されて前記所定の画像に合成される第１の図形を表す図形データとを含む受信データを受信する受信装置のコンピュータを、受信装置として機能させるためのプログラムであって、前記所定の拡大率により拡大された拡大後の第１の図形に代えて、前記所定の画像に合成される第２の図形であって、前記拡大後の第１の図形よりも高画質な第２の図形を表す高画質図形データを配信する配信サーバに接続するためのサーバアクセス情報を取得する取得手段と、前記サーバアクセス情報に基づいて、前記配信サーバから、前記高画質図形データを受信する受信手段と、前記高画質図形データ及び前記画像データに基づいて、前記第２の図形を、前記所定の画像に合成する合成手段とを含む受信装置、又は受信装置として機能させるためのプログラムである。
【００１５】
前記受信データは、前記図形データ及び前記画像データの他、前記サーバアクセス情報が含まれているデジタル放送信号であり、前記取得手段では、前記デジタル放送信号から、前記サーバアクセス情報を取得することができる。
【００１６】
前記合成手段では、前記受信手段により、前記高画質図形データを受信することができない場合、前記デジタル放送信号に含まれる前記図形データ及び前記画像データに基づいて、前記所定の拡大率により拡大した前記第１の図形を、前記所定の画像に合成することができる。
【００１７】
前記デジタル放送信号には、前記所定の画像に合成される文字を表す文字データも含まれており、前記合成手段では、さらに、前記文字データに基づいて、前記所定の画像に応じた大きさの前記文字を、前記所定の画像に合成することができる。
【００１８】
前記取得手段では、前記拡大後の第１の図形よりも高解像度である前記第２の図形を表す前記高画質図形データを配信する前記配信サーバに接続するための前記サーバアクセス情報を取得することができる。
【００１９】
前記合成手段では、前記高画質図形データに基づいて、前記第２の図形を、前記所定の画像と合成される描画用のプレーンに描画し、前記第２の図形が描画された描画用のプレーンを、前記所定の画像に合成することができる。
【００２０】
本発明の第１の側面の受信方法は、少なくとも、所定の画像を表す画像データと、所定の拡大率により拡大されて前記所定の画像に合成される第１の図形を表す図形データとを含む受信データを受信する受信装置の受信方法であって、前記受信装置は、取得手段と、受信手段と、合成手段とを含み、前記取得手段が、前記所定の拡大率により拡大された拡大後の第１の図形に代えて、前記所定の画像に合成される第２の図形であって、前記拡大後の第１の図形よりも高画質な第２の図形を表す高画質図形データを配信する配信サーバに接続するためのサーバアクセス情報を取得し、前記受信手段が、前記サーバアクセス情報に基づいて、前記配信サーバから、前記高画質図形データを受信し、前記合成手段が、前記高画質図形データ及び前記画像データに基づいて、前記第２の図形を、前記所定の画像に合成するステップを含む受信方法である。
【００２１】
本発明の第１の側面によれば、前記所定の拡大率により拡大された拡大後の第１の図形に代えて、前記所定の画像に合成される第２の図形であって、前記拡大後の第１の図形よりも高画質な第２の図形を表す高画質図形データを配信する配信サーバに接続するためのサーバアクセス情報が取得され、前記サーバアクセス情報に基づいて、前記配信サーバから、前記高画質図形データが受信され、前記高画質図形データ及び前記画像データに基づいて、前記第２の図形が、前記所定の画像に合成される。
【００２２】
本発明の第２の側面の通信システムは、少なくとも、所定の画像を表す画像データと、所定の拡大率により拡大されて前記所定の画像に合成される第１の図形を表す図形データとを含む受信データを受信する受信装置と、前記受信装置からのリクエスト信号に応じて、前記所定の拡大率により拡大された拡大後の第１の図形よりも高画質な第２の図形を表す高画質図形データを配信する配信サーバとを含む通信システムであって、前記受信装置は、前記所定の拡大率により拡大された拡大後の第１の図形に代えて、前記所定の画像に合成される第２の図形であって、前記拡大後の第１の図形よりも高画質な第２の図形を表す高画質図形データを配信する配信サーバに接続するためのサーバアクセス情報を取得する取得手段と、前記サーバアクセス情報に基づいて、前記配信サーバから、前記高画質図形データを受信する第１の受信手段と、前記高画質図形データ及び前記画像データに基づいて、前記第２の図形を、前記所定の画像に合成する合成手段とを含み、前記配信サーバは、前記サーバアクセス情報に基づき、前記受信装置から送信されてくる、前記高画質図形データの送信を要求する前記リクエスト信号を受信する第２の受信手段と、前記リクエスト信号に基づいて、前記高画質図形データを、前記受信装置に送信する送信手段とを含む通信システムである。
【００２３】
本発明の第２の側面によれば、前記受信装置により、前記所定の拡大率により拡大された拡大後の第１の図形に代えて、前記所定の画像に合成される第２の図形であって、前記拡大後の第１の図形よりも高画質な第２の図形を表す高画質図形データを配信する配信サーバに接続するためのサーバアクセス情報が取得され、前記サーバアクセス情報に基づいて、前記配信サーバから、前記高画質図形データが受信され、前記高画質図形データ及び前記画像データに基づいて、前記第２の図形が、前記所定の画像に合成される。また、前記配信サーバにより、前記サーバアクセス情報に基づき、前記受信装置から送信されてくる、前記高画質図形データの送信を要求する前記リクエスト信号が受信され、前記リクエスト信号に基づいて、前記高画質図形データが、前記受信装置に送信される。
【発明の効果】
【００２４】
本発明によれば、例えば、デジタル放送信号等に含まれる所定の画像に描画される図形を、より高画質化できる。
【図面の簡単な説明】
【００２５】
【図１】従来のデジタル放送受信装置を説明するための図である。
【図２】本発明の概要を説明するための図である。
【図３】通信システムの構成例を示すブロック図である。
【図４】URI情報が記述されたBITのシンタクスの一例を示す図である。
【図５】デジタル放送受信装置の構成例を示すブロック図である。
【図６】表示制御処理を説明するためのフローチャートである。
【図７】第１の高画質描画処理を説明するためのフローチャートである。
【図８】第２の高画質描画処理を説明するためのフローチャートである。
【発明を実施するための形態】
【００２６】
以下、発明を実施するための形態（以下、本実施の形態という）について説明する。
１．本実施の形態
２．変形例
【００２７】
＜１．本実施の形態＞
[本実施の形態の概要]
最初に、図２を参照して、本実施の形態の概要を説明する。
【００２８】
本実施の形態において、デジタル放送受信装置２１（図３）は、解像度が1920×1080画素である静止画像に図形を重畳（合成）する場合に、横と縦とにそれぞれ２倍に拡大されることにより画質が劣化した図形に代えて、その図形よりも高画質な（高解像度であったり、SN（signal to noise ratio）比が大きい）代替図形を、静止画像に重畳する。
【００２９】
すなわち、例えば、デジタル放送受信装置２１は、横と縦とにそれぞれ２倍に拡大されて、静止画像に重畳される図形（を表す画像）に対応する代替図形（を表す画像）を保持している代替図形配信サーバ２７（図３）から、対応する代替図形を取得する。そして、デジタル放送受信装置２１は、取得した代替図形を、予め用意しておいた、解像度が1920×1080画素である描画用のプレーンに描画する。
【００３０】
また、例えば、デジタル放送受信装置２１は、解像度が1920×1080画素である描画用のプレーンに応じた文字の大きさ（ポイント数）で、文字を、解像度が1920×1080画素である描画用のプレーンに描画する。
【００３１】
デジタル放送受信装置２１は、図２に示されるように、文字や図形の描画により得られた文字図形プレーンと、番組等を表す静止画像（動画像）とを重畳し、データ放送出力として、出力装置２３（図３）に出力する。
【００３２】
なお、本実施の形態において、デジタル放送受信装置２１は、解像度が960×560画素である静止画像に対して、文字や図形を合成する場合には、従来のデジタル放送受信装置と同様の処理を行うため、以下、その説明は省略する。
【００３３】
[通信システム１の構成例]
次に、図３は、本発明を適用したデジタル放送受信装置２１を含む通信システム１の構成例を示している。
【００３４】
この通信システム１は、アンテナ２１a、デジタル放送受信装置２１、リモートコントローラ２１b、電波塔２２、出力装置２３、ネットワーク２４、コンテンツサーバ２５、コンテンツデータベース２６、代替図形配信サーバ２７、及び代替図形データベース２８により構成されている。
【００３５】
アンテナ２１aは、電波塔２２から放送されるデジタル放送信号としての電波を受信し、その結果得られるデジタル放送信号を、デジタル放送受信装置２１に供給する。デジタル放送受信装置２１は、アンテナ２１aからのデジタル放送信号を受信し、出力装置２３に出力する。
【００３６】
また、デジタル放送受信装置２１は、コンテンツサーバ２５からインターネット等のネットワーク２４を介して送信されてくる、番組等を表す静止画像等であるコンテンツを受信し、出力装置２３に出力する。
【００３７】
さらに、デジタル放送受信装置２１は、受信したデジタル放送信号に、BIT(broadcaster information table、事業者情報識別子)が含まれているとき、そのBITから、代替図形配信サーバ２７に接続（アクセス）するための情報であるURI(uniform resource identifier)情報を取得する。
【００３８】
[BITの一例]
次に、図４は、デジタル放送信号に含まれるBITのシンタクス(syntax)の一例を示している。
【００３９】
図４のBITには、一般的なBITに記述される情報に加えて、代替図形配信サーバ２７を特定するためのURI情報（図中、実線により囲まれている部分）が追加されている。
【００４０】
なお、図中、実線により囲まれている部分において、broadcaster_contents_alternate_host_lengthは、代替図形配信サーバ２７のURIにおける文字列の長さを表す。また、broadcaster_contents_alternate_host_lengthの後に記述されているdescriptor()は、代替図形配信サーバ２７のURIを示す文字列が格納される。
【００４１】
デジタル放送受信装置２１は、例えば、BITに記述されているURI情報に基づいて、代替図形配信サーバ２７に接続し、接続した代替図形配信サーバ２７から代替図形を受信して、解像度が1920×1080画素である描画用のプレーンに描画する。
【００４２】
さらに、デジタル放送受信装置２１は、解像度が1920×1080画素である描画用のプレーンに文字を描画して、描画後の描画用のプレーンを文字図形プレーンとし、文字図形プレーンと、受信したデジタル放送信号に含まれる番組等を表す静止画像とを合成して、出力装置２３に出力する。
【００４３】
図３に戻る。リモートコントローラ２１bは、ユーザの操作に対応した操作信号を、デジタル放送受信装置２１に送信する。デジタル放送受信装置２１は、リモートコントローラ２１bからの操作信号に対応した処理を行う。
【００４４】
電波塔２２は、電波によりデジタル放送信号を放送する。
【００４５】
出力装置２３は、スピーカ２３a(図５)や、LCD(liquid crystal display)等の表示部２３b(図５)を内蔵しており、デジタル放送受信装置２１からのデータに対応する音声をスピーカ２３aから出力し、画像を表示部２３bに表示する。
【００４６】
ネットワーク２４は、インターネット等により構成されており、デジタル放送受信装置２１、コンテンツサーバ２５、及び代替図形配信サーバ２７を相互に接続する。
【００４７】
コンテンツサーバ２５は、デジタル放送受信装置２１からの要求に応じて、コンテンツデータベース２６から所定のコンテンツを読み出し、ネットワーク２４を介してデジタル放送受信装置２１に送信する。
【００４８】
コンテンツデータベース２６は、それぞれ異なる複数のコンテンツを保持している。
【００４９】
代替図形配信サーバ２７は、デジタル放送受信装置２１からの要求に応じて、代替図形データベース２８から、代替図形ファイルを読み出し、ネットワーク２４を介してデジタル放送受信装置２１に供給する。
【００５０】
代替図形データベース２８は、複数の代替図形ファイルを保持している。代替図形ファイルには、代替図形を表す代替図形データを、所定の符号化方式により符号化した符号化データが格納されている。
【００５１】
[デジタル放送受信装置２１の構成例]
次に、図５は、デジタル放送受信装置２１の詳細な構成例を示している。
【００５２】
このデジタル放送受信装置２１は、チューナ４１、8PSK(phase shift keying)復調部４２、TS(transport stream)デコード部４３、音声デコード部４４、画像デコード部４５、画像処理部４６、受光部４７、NVRAM(non volatile random access memory)４８、ROM(read only memory)４９、RAM(random access memory)５０、CPU(central processing unit)５１、及び通信部５２により構成されており、それぞれ、システムバス５３を介して接続されている。
【００５３】
チューナ４１には、例えば、地上波デジタル放送やBS(broadcasting satellite)デジタル放送等の所定の放送方式のデジタル放送信号のRF(radio frequency)信号が、アンテナ２１aから供給される。
【００５４】
チューナ４１は、アンテナ２１aから供給される所定の放送方式のデジタル放送信号（のRF信号）から、所定のチャンネルのテレビジョン信号を選択（抽出）し、8PSK復調部４２に供給する。
【００５５】
8PSK復調部４２は、チューナ４１から供給される所定のチャンネルのテレビジョン信号を8PSK復調し、その結果得られるトランスポートストリームを、TSデコード部４３に供給する。
【００５６】
TSデコード部４３は、8PSK復調部４２より供給されるトランスポートストリームから、ビデオエレメンタリストリーム（ビデオ系のPES（packetized elementary stream））とオーディオエレメンタリストリーム（オーディオ系のPES）を分離する。
【００５７】
また、TSデコード部４３は、8PSK復調部４２より供給されるトランスポートストリームに含まれる文字データ及び図形データを分離する。
【００５８】
なお、文字データとは、重畳される文字に関する情報（例えば、静止画像のいずれの位置にどのような文字を、いずれのポイント数で重畳させるか等）である。また、図形データとは、重畳される図形に関する情報（例えば、静止画像のいずれの位置にどのような図形を重畳させるか等）である。
【００５９】
TSデコード部４３は、分離したビデオ系のPESとオーディオ系のPESのうち、オーディオ系のPESを音声デコード部４４に供給し、ビデオ系のPESを画像デコード部４５に供給する。
【００６０】
また、TSデコード部４３は、分離した文字データ及び図形データを、画像デコード部４５に供給する。
【００６１】
音声デコード部４４は、TSデコード部４３より供給される、オーディオ系のPESを、所定の復号方式でデコードし、その結果得られる音声データを、出力装置２３のスピーカ２３aに出力する。
【００６２】
画像デコード部４５は、TSデコード部４３より供給される、例えば、MPEG（moving picture experts group）方式などの圧縮方式で圧縮されたビデオ系のPESをデコードし、その結果得られる画像信号を、画像処理部４６に供給する。
【００６３】
また、画像デコード部４５は、TSデコード部４３より供給される文字データ及び図形データを所定の方式によりデコードし、画像処理部４６に供給する。
【００６４】
画像処理部４６は、画像デコード部４５より供給される、デコード後の文字データ及び図形データに基づいて、文字図形プレーンを生成する。さらに、画像処理部４６は、生成した文字図形プレーンと、画像デコード部４５からの画像信号に対応する画像とを合成し、出力装置２３の表示部２３bに供給して表示させる。
【００６５】
受光部４７は、リモートコントローラ２１bからの操作信号を受信し、システムバス５３を介してCPU５１に供給する。
【００６６】
NVRAM４８は、不揮発性のRAMであり、CPU５１が各種の処理を実行するためのプログラムや、CPU５１により書き込みが指示されたデータ等を記憶する。
【００６７】
なお、NVRAM４８に記憶されているプログラムは、通信部５２からシステムバス５３を介して供給される新たなプログラム等により、アップデートすることが可能である。
【００６８】
ROM(read only memory)４９は、CPU５１が各種の処理を行うのに実行するプログラム等を、予め保持している。
【００６９】
RAM(random access memory)５０は、例えば、CPU５１が各種の処理を実行するために必要なデータ等を一時的に記憶する。
【００７０】
CPU５１は、NVRAM４８やROM４９に記憶されているプログラムを実行することで、所定の処理を行う。すなわち、例えば、CPU５１は、チューナ４１、8PSK復調部４２、TSデコード部４３、音声デコード部４４、画像デコード部４５、画像処理部４６、受光部４７、及び通信部５２等を制御する。
【００７１】
通信部５２は、ネットワーク２４との間の通信インタフェースとして機能する２つのモデム５２a及びイーサネット端子５２bを有している。モデム５２aは、例えば、コンテンツを受信するために用いられる。イーサネット端子５２bは、例えば、代替図形を受信するために用いられる。
【００７２】
[表示制御処理の説明]
次に、図６のフローチャートを参照して、デジタル放送受信装置２１が行う、番組等を表す静止画像に図形や文字を合成したものを表示する表示制御処理を説明する。
【００７３】
ステップＳ１において、チューナ４１は、アンテナ２１aから供給される所定の放送方式のデジタル放送信号を受信し、受信したデジタル放送信号から、所定のチャンネルのテレビジョン信号を選択して、8PSK復調部４２に供給する。
【００７４】
8PSK復調部４２は、チューナ４１から供給される所定のチャンネルのテレビジョン信号を8PSK復調し、その結果得られるトランスポートストリームを、TSデコード部４３に供給する。
【００７５】
TSデコード部４３は、8PSK復調部４２より供給されるトランスポートストリームから、ビデオ系のPESとオーディオ系のPESを分離する。
【００７６】
また、TSデコード部４３は、8PSK復調部４２より供給されるトランスポートストリームから、文字データ及び図形データを分離する。そして、TSデコード部４３は、オーディオ系のPESを、音声デコード部４４に供給し、ビデオ系のPESと文字データ及び図形データを画像デコード部４５に供給する。
【００７７】
音声デコード部４４は、TSデコード部４３より供給される、オーディオ系のPESを、所定の復号方式でデコードし、その結果得られる音声データを、出力装置２３に出力する。
【００７８】
画像デコード部４５は、TSデコード部４３より供給されるビデオ系のPESを画像信号にデコードし、画像処理部４６に供給する。また、画像デコード部４５は、TSデコード部４３より供給される文字データ及び図形データを所定の方式によりデコードし、画像処理部４６に供給する。
【００７９】
ステップＳ２において、イーサネット端子５２bは、CPU５１の制御にしたがって、インターネット等のネットワーク２４に接続可能であるか否かを判定し、ネットワーク２４に接続可能でないと判定した場合、処理はステップＳ３に進められる。
【００８０】
ステップＳ３において、画像処理部４６は、CPU５１の制御にしたがって、画像デコード部４５からの文字データが表す文字や、図形データが表す図形を描画する第１の高画質描画処理を行う。なお、ステップＳ３における第１の高画質描画処理の詳細は、図７のフローチャートを参照して後述する。
【００８１】
また、ステップＳ２において、イーサネット端子５２bが、ネットワーク２４に接続可能であると判定した場合、処理はステップＳ４に進められる。
【００８２】
ステップＳ４において、チューナ４１は、CPU５１の制御にしたがって、アンテナ２１aからのデジタル放送信号にBITが含まれているか否かを判定する。ステップＳ４において、BITが含まれていると判定された場合、チューナ４１は、デジタル放送信号からBITを抽出し、システムバス５３を介してCPU５１に供給する。
【００８３】
その後、処理はステップＳ５に進められ、CPU５１は、チューナ４１からのBITの内容を解析する。そして、ステップＳ６において、CPU５１は、解析したBITの内容に基づいて、BITに、代替図形配信サーバ２７のURI情報が含まれているか否かを判定する。
【００８４】
ステップＳ６において、CPU５１は、BITに、代替図形配信サーバ２７のURI情報が含まれていると判定した場合、BITからURI情報を取得し、処理はステップＳ７に進められる。
【００８５】
ステップＳ７において、画像処理部４６は、画像デコード部４５からの図形データが表す図形を、画像デコード部４５からの画像データに対応する画像に合成される図形として検出する。
【００８６】
ステップＳ８において、イーサネット端子５２bは、CPU５１の制御にしたがって、ネットワーク２４を介して代替図形配信サーバ２７に対する接続を試みる。すなわち、CPU５１は、取得したURI情報に基づき、イーサネット端子５２bを制御し、ネットワーク２４を介して代替図形配信サーバ２７に対する接続を試みる。
【００８７】
ステップＳ９において、イーサネット端子５２bは、CPU５１の制御にしたがって、代替図形配信サーバ２７に対する接続に成功したか否かを判定する。そして、イーサネット端子５２bは、接続に成功したと判定した場合、処理はステップＳ９からステップＳ１０に進められる。
【００８８】
ステップＳ１０において、画像処理部４６は、CPU５１の制御にしたがって、代替図形配信サーバ２７から所望の代替図形データを取得し、取得した代替図形データが表す代替図形等を描画する第２の高画質描画処理を行う。なお、第２の高画質描画処理の詳細は、図８のフローチャートを参照して後述する。
【００８９】
ステップＳ３の第１の高画質描画処理の後、及びステップＳ１０の第２の高画質描画処理の後、処理はステップＳ１１に進められる。
【００９０】
ステップＳ１１では、画像処理部４６は、CPU５１の制御にしたがって、第１の高画質描画処理、又は第２の高画質描画処理のいずれかにより得られた文字図形プレーンと、画像デコード部４５からの画像データに対応する画像とを合成（重畳）する。さらに、画像処理部４６は、合成の結果得られたデータを、出力装置２３に供給して表示させる。
【００９１】
以上で、表示制御処理は終了される。
【００９２】
なお、ステップＳ４において、チューナ４１が、アンテナ２１aからのデジタル放送信号にBITが含まれていないため、BITを受信していないと判定した場合、ステップＳ６において、CPU５１が、BITに、代替図形配信サーバ２７のURI情報が含まれてないと判定した場合、及び、ステップＳ９において、イーサネット端子５２bが、代替図形配信サーバ２７に対する接続に失敗したと判定した場合、処理はステップＳ３に進められて、以下、同様の処理が行われる。
【００９３】
[第１の高画質描画処理の説明]
次に、図７のフローチャートを参照して、図６のステップＳ３における第１の高画質描画処理の詳細を説明する。
【００９４】
ステップＳ３１において、画像処理部４６は、画像デコード部４５からの文字データや図形データに基づいて、画像デコード部４５からの画像データに対応する画像に描画すべき図形や文字の描画対象のうち、所定の描画対象を、注目描画対象に設定する。
【００９５】
ステップＳ３２において、画像処理部４６は、注目描画対象が文字であるか、又は図形であるかを判定する。
【００９６】
そして、ステップＳ３３において、画像処理部４６は、注目描画対象が図形である（文字でない）と判定した場合、処理はステップＳ３４に進められる。
【００９７】
ステップＳ３４において、画像処理部４６は、CPU５１の制御にしたがって、画像デコード部４５からの図形データが表す図形を、横と縦とにそれぞれ２倍に拡大する。
【００９８】
そして、ステップＳ３５において、画像処理部４６は、拡大後の図形を、解像度が1920×1080画素である描画用のプレーンに描画して、処理はステップＳ３７に進められる。
【００９９】
また、ステップＳ３３において、画像処理部４６は、注目描画対象は文字であると判定した場合、処理はステップＳ３６に進められる。
【０１００】
ステップＳ３６において、画像処理部４６は、注目描画対象である文字を、画像デコード部４５からの文字データにより指定されたポイント数を２倍して得られる新たなポイント数により、解像度が1920×1080画素である描画用のプレーンに描画する。その後、処理はステップＳ３６からステップＳ３７に進められる。
【０１０１】
ステップＳ３７において、画像処理部４６は、描画対象すべてを、注目描画対象に設定したか否かを判定する。そして、画像処理部４６は、まだ、描画対象すべてを注目描画対象に設定していないと判定した場合、処理はステップＳ３１に戻る。
【０１０２】
ステップＳ３１において、画像処理部４６は、描画対象のうち、注目描画対象に設定していない描画対象を、新たな注目描画対象に設定し、処理はステップＳ３２に進められて、以下同様の処理が繰り返される。
【０１０３】
また、ステップＳ３７において、画像処理部４６は、描画対象すべてを注目描画対象に設定したと判定した場合、ステップＳ３５やステップＳ３６の処理により文字や図形が描画された、解像度が1920×1080画素である描画用のプレーンを文字図形プレーンとし、処理はリターンされる。
【０１０４】
[第２の高画質描画処理の説明]
次に、図８のフローチャートを参照して、図６のステップＳ１０における第２の高画質描画処理の詳細を説明する。
【０１０５】
ステップＳ５１及びステップＳ５２において、図７のステップＳ３１及びステップＳ３２と同様の処理が行われる。
【０１０６】
ステップＳ５３において、画像処理部４６は、注目描画対象は図形である（文字でない）と判定した場合、処理はステップＳ５４に進められる。
【０１０７】
ステップＳ５４において、イーサネット端子５２bは、CPU５１の制御にしたがって、注目描画対象である図形に対応する代替図形（代替図形データ）を要求するためのリクエスト信号を、イーサネット端子５２bからネットワーク２４を介して代替図形配信サーバ２７に送信する。
【０１０８】
なお、リクエスト信号には、静止画像で表される番組等を識別するための番組ID(identification)、及び、注目描画対象である図形を識別するための図形IDが含まれている。
【０１０９】
また、代替図形データベース２８（図３）には、番組ID及び図形IDに対応付けて、番組IDにより識別される番組で使用される、図形IDにより識別される図形と代替可能な代替図形の代替図形ファイルが記憶されている。
【０１１０】
代替図形配信サーバ２７（図３）は、イーサネット端子５２bからリクエスト信号が送信されてくると、そのリクエスト信号に含まれる番組ID及び図形IDに対応付けられている代替図形ファイルを、代替図形データベース２８から読み出し、ネットワーク２４を介してデジタル放送受信装置２１に送信する。
【０１１１】
ステップＳ５５において、イーサネット端子５２bは、リクエスト信号に応じて代替図形配信サーバ２７から送信されてくる代替図形ファイルの受信を試みる。
【０１１２】
ステップＳ５６において、イーサネット端子５２bは、所定の時間内に、代替図形ファイルを受信することができたか否かを判定する。ステップＳ５６において、イーサネット端子５２bは、所定の時間内に代替図形ファイルを受信したと判定した場合、受信した代替図形ファイルをシステムバス５３を介して画像デコード部４５に供給して、処理はステップＳ５７に進められる。
【０１１３】
ステップＳ５７において、画像デコード部４５は、イーサネット端子５２bからシステムバス５３を介して供給された代替図形ファイル（に格納された符号化データ）をデコードし、注目描画対象である図形に対応する代替図形を取得する。そして、画像デコード部４５は、取得した代替図形を、画像処理部４６に供給する。
【０１１４】
ステップＳ５８において、画像処理部４６は、画像デコード部４５からの代替図形を、解像度が1920×1080画素である描画用のプレーンに描画して、処理はステップＳ６２に進められる。
【０１１５】
また、ステップＳ５６において、イーサネット端子５２bは、所定の時間内に代替図形ファイルを受信しなかったと判定した場合、処理はステップＳ５９に進められる。
【０１１６】
そして、ステップＳ５９及びステップＳ６０において、図７のステップＳ３４及びステップＳ３５と同様の処理が行われて、処理はステップＳ６２に進められる。
【０１１７】
また、ステップＳ５３において、画像処理部４６は、注目描画対象は文字であると判定した場合、処理はステップＳ６１に進められる。そして、ステップＳ６１において、図７のステップＳ３６と同様の処理が行われて、処理はステップＳ６２に進められる。
【０１１８】
ステップＳ６２において、画像処理部４６は、描画対象すべてを、注目描画対象に設定したか否かを判定する。そして、画像処理部４６は、まだ、描画対象すべてを注目描画対象に設定していないと判定した場合、処理はステップＳ５１に戻る。
【０１１９】
ステップＳ５１において、画像処理部４６は、描画対象のうち、注目描画対象に設定していない描画対象を、新たな注目描画対象に設定し、処理はステップＳ５２に進められて、以下同様の処理が繰り返される。
【０１２０】
また、ステップＳ６２において、画像処理部４６は、描画対象すべてを注目描画対象に設定したと判定した場合、ステップＳ５８、ステップＳ６０、及びステップＳ６１の処理により描画が行われた描画用のプレーンを、文字図形プレーンとし、処理はリターンされる。
【０１２１】
以上説明したように、表示制御処理では、デジタル放送受信装置２１が代替図形配信サーバ２７に接続可能である場合に、代替図形を、代替図形配信サーバ２７から取得し、取得した代替図形を、デジタル放送信号に含まれる図形に代えて、解像度が1920×1080画素である描画用のプレーンに描画し、その結果得られる文字図形プレーンと、画像データに対応する画像とを合成する。
【０１２２】
したがって、例えば、図形が描画された、解像度が960×540画素である描画用のプレーンを、横と縦とにそれぞれ２倍に拡大することにより得られた文字図形プレーンを、画像データに対応する画像と合成する従来のデジタル放送受信装置と比較して、画像データに対応する画像に、より高画質な図形を合成することが可能となる。
【０１２３】
ところで、画像データに対応する画像と合成される図形を高画質にするための方法として、例えば、電波塔２２等の放送局側において、高画質な図形を、デジタル放送信号に含めて放送するようにし、デジタル放送受信装置側において、高画質な図形を受信して表示する方法が考えられる。
【０１２４】
しかしながら、この方法を採用した場合、従来のデジタル放送受信装置では、図形を表示することが困難になる。
【０１２５】
また、画像データに対応する画像と合成される図形を高画質にするための他の方法として、従来のデジタル放送受信装置において表示することが可能な図形と、その図形よりも高画質な図形との両方を、デジタル放送信号により放送する方法が考えられる。
【０１２６】
しかしながら、この場合、従来のデジタル放送受信装置において表示することが可能な図形と、その図形よりも高画質な図形との両方を、デジタル放送信号により放送するため、デジタル放送信号に割り当てられた帯域を圧迫するおそれがある。
【０１２７】
これに対して、本実施の形態では、放送局側において、例えば、高画質な図形をデジタル放送信号に含ませる等の変更を行っていないため、従来のデジタル放送受信装置では、デジタル放送信号等に含まれる図形を表示することができ、また、デジタル放送信号に割り当てられた帯域を圧迫することもない。
【０１２８】
＜２．変形例＞
本実施の形態では、デジタル放送受信装置２１は、代替図形配信サーバ２７のURI情報を、BITから取得するようにしたが、URI情報の取得方法は、これに限定されない。
【０１２９】
すなわち、例えば、デジタル放送信号に含まれる、BITとは異なる他の情報に、代替図形配信サーバ２７のURI情報を記述するようにして、デジタル放送受信装置２１では、BITとは異なる他の情報からURI情報を取得することが可能である。
【０１３０】
また、例えば、ネットワーク２４を介して接続されている所定のサーバに、URI情報を保持させるようにして、デジタル放送受信装置２１が、所定のサーバから、URI情報を取得するようにしてもよい。
【０１３１】
さらに、例えば、デジタル放送受信装置２１が、予めURI情報を保持しておくように構成することも可能である。
【０１３２】
また、本実施の形態では、デジタル放送受信装置２１は、デジタル放送信号に含まれる番組等の静止画像に対して、文字や代替図形を合成することとしたが、コンテンツサーバ２５からの、番組等を表す静止画像（コンテンツ）に対しても同様に、文字や代替図形を合成することが可能である。
【０１３３】
本実施の形態において、コンテンツサーバ２５と代替図形配信サーバ２７とは、別々に構成するようにしたが、例えば、コンテンツサーバ２５及び代替図形配信サーバ２７に代えて、コンテンツサーバ２５及び代替図形配信サーバ２７の両機能を有するサーバを採用することが可能である。
【０１３４】
また、本実施の形態では、イーサネット端子５２bが代替図形を受信するために用いられるようにしたが、その他、例えば、イーサネット端子５２bとともに、又は、イーサネット端子５２bに代えて、モデム５２aが代替図形を受信するために用いられるようにしてもよい。
【０１３５】
なお、本明細書において、表示制御処理、第１の高画質描画処理、及び第２の高画質描画処理を記述するステップは、記載された順序に沿って時系列的に行われる処理はもちろん、必ずしも時系列的に処理されなくとも、並列的あるいは個別に実行される処理をも含むものである。
【０１３６】
また、本明細書において、システムとは、複数の装置により構成される装置全体を表すものである。
【０１３７】
さらに、本発明の実施の形態は、上述した本実施の形態に限定されるものではなく、本発明の要旨を逸脱しない範囲において種々の変更が可能である。
【符号の説明】
【０１３８】
１  通信システム，  ２１  デジタル放送受信装置，  ２１a  アンテナ，  ２１b  リモートコントローラ，  ２２  電波塔，  ２３  出力装置，  ２４  ネットワーク，  ２５  コンテンツサーバ，  ２６  コンテンツデータベース，  ２７  代替図形配信サーバ，  ２８  代替図形データベース，  ４１  チューナ，  ４２  BPSK復調部，  ４３  TSデコード部，  ４４  音声デコード部，  ４５  画像デコード部，  ４６  画像処理部，  ４７  受光部，  ４８  NVRAM，  ４９  ROM，  ５０  RAM，  ５１  CPU，  ５２  通信部，  ５２a  モデム，  ５２b  イーサネット端子，  ５３  システムバス
【図１】
2010193281.tif 000003
【図２】
2010193281.tif 000004
【図３】
2010193281.tif 000005
【図４】
2010193281.tif 000006
【図５】
2010193281.tif 000007
【図６】
2010193281.tif 000008
【図７】
2010193281.tif 000009
【図８】
2010193281.tif 000010
【手続補正書】
【提出日】平成22年3月18日(2010.3.18)
【手続補正１】
【補正対象書類名】明細書
【補正対象項目名】００３２
【補正方法】変更
【補正の内容】
【００３２】
なお、本実施の形態において、デジタル放送受信装置２１は、解像度が960×540画素である静止画像に対して、文字や図形を合成する場合には、従来のデジタル放送受信装置と同様の処理を行うため、以下、その説明は省略する。
【手続補正２】
【補正対象書類名】明細書
【補正対象項目名】０１２７
【補正方法】変更
【補正の内容】
【０１２７】
これに対して、本実施の形態では、放送局側において、例えば、高画質な図形をデジタル放送信号に含ませる等の変更を行っていないため、デジタル放送信号等に含まれる図形を表示することができ、また、デジタル放送信号に割り当てられた帯域を圧迫することもない。